【手続補正書】
【提出日】平成30年3月23日(2018.3.23)
【手続補正１】
【補正対象書類名】明細書
【補正対象項目名】０１９９
【補正方法】変更
【補正の内容】
【０１９９】
【表５】
2017513995.tif 000001
なお、本発明は、実施の態様として以下の内容を含む。
〔態様１〕
乗り物エンジンにおけるノックを減少させるための潤滑剤組成物の使用であって、前記潤滑剤組成物は、
−  少なくとも１種の基油、
−  少なくとも１種の式（Ｉ）の化合物：
【化１６】
2017513995.tif 000002
（式中：
＊  Ｒ１は、水素原子、飽和又は不飽和の、置換又は非置換の、１〜１０個の炭素原子を含む直鎖または分岐鎖のアルキル基、−ＯＲ７基、−ＮＲ８Ｒ９基を表わす；
＊  Ｒ２は、水素原子、飽和又は不飽和の、置換又は非置換の、１〜１０個の炭素原子を含む直鎖または分岐鎖のアルキル基、−ＯＲ１０基、−ＮＲ１１Ｒ１２基を表わす；
＊  Ｒ３は、水素原子、飽和又は不飽和の、置換又は非置換の、１〜１０個の炭素原子を含む直鎖または分岐鎖のアルキル基、−ＯＲ１３基、−ＮＲ１４Ｒ１５基を表わす；
＊  Ｒ４は、水素原子、飽和又は不飽和の、置換又は非置換の、１〜１０個の炭素原子を含む直鎖または分岐鎖のアルキル基、−ＯＲ１６基、−ＮＲ１７Ｒ１８基を表わす；
＊  Ｒ５は、水素原子、飽和又は不飽和の、置換又は非置換の、１〜１０個の炭素原子を含む直鎖または分岐鎖のアルキル基、−ＯＲ１９基、−ＮＲ２０Ｒ２１基を表わす；
＊  Ｒ６は、水素原子、飽和又は不飽和の、置換又は非置換の、１〜１０個の炭素原子を含む直鎖または分岐鎖のアルキル基、−ＯＲ２２基、−ＮＲ２３Ｒ２４基を表わす；
＊  Ｒ７、Ｒ１０、Ｒ１３、Ｒ１６、Ｒ１９およびＲ２２は、同一または異なって、独立して、飽和又は不飽和の、置換又は非置換の、１〜１０個の炭素原子を含む直鎖または分岐鎖のアルキル基を表わす；
＊  Ｒ８、Ｒ９、Ｒ１１、Ｒ１２、Ｒ１４、Ｒ１５、Ｒ１７、Ｒ１８、Ｒ２０、Ｒ２１、Ｒ２３およびＲ２４は、同一または異なって、独立して、水素原子、または飽和又は不飽和の、置換又は非置換の、１〜３個の炭素原子を含むアルキル基を表わす；
＊  Ｒ１、Ｒ２、Ｒ３、Ｒ４、Ｒ５およびＲ６の少なくとも１つは、水素原子ではない）
を含む、潤滑剤組成物の使用。
〔態様２〕
態様１に記載の組成物の使用であって、Ｒ１は、
−  飽和又は不飽和の、置換又は非置換の、１〜１０個の炭素原子を含む直鎖または分岐鎖のアルキル基；
−  −ＯＲ７基（Ｒ７は、飽和又は不飽和の、置換又は非置換の、１〜１０個の炭素原子を含む直鎖または分岐鎖のアルキル基を表わす）；
−  −ＮＲ８Ｒ９基（Ｒ８とＲ９は、同一または異なって、独立して、水素原子、または飽和又は不飽和の、置換又は非置換の、１〜３個の炭素原子を含むアルキル基を表わす）
である、使用。
〔態様３〕
態様１または２に記載の組成物の使用であって、Ｒ５は水素原子である、使用。
〔態様４〕
態様１〜３のうちのいずれか一態様に記載の組成物の使用であって、Ｒ６は水素原子である、使用。
〔態様５〕
態様１〜４のうちのいずれか一態様に記載の潤滑剤組成物の使用であって、Ｒ１は、
＊  １〜５個の炭素原子を含む直鎖または分岐鎖の飽和アルキル基；
＊  −ＯＲ７基（Ｒ７は、１〜５個の炭素原子（好ましくは１〜３個の炭素原子）を含む直鎖または分岐鎖の飽和アルキル基を表わす）；
＊  −ＮＲ８Ｒ９基
（式中：
−  Ｒ８は、水素原子、または１〜３個の炭素原子を含む飽和アルキル基を表わす；
−  Ｒ９は、水素原子、または１〜３個の炭素原子を含む飽和アルキル基を表わす）
である、使用。
〔態様６〕
態様１〜５のうちのいずれか一態様に記載の潤滑剤組成物の使用であって、Ｒ２は、
＊  水素原子；
＊  １〜５個の炭素原子を含む直鎖または分岐鎖の飽和アルキル基；
＊  −ＮＲ１１Ｒ１２基
（式中：
−  Ｒ１１は、水素原子、または１〜３個の炭素原子を含む飽和アルキル基を表わす；
−  Ｒ１２は、水素原子、または１〜３個の炭素原子を含む飽和アルキル基を表わす）
である、使用。
〔態様７〕
態様１〜６のうちのいずれか一態様に記載の潤滑剤組成物の使用であって、Ｒ３は、
＊  水素原子；
＊  １〜５個の炭素原子を含む直鎖または分岐鎖の飽和アルキル基；
＊  −ＮＲ１４Ｒ１５基
（式中：
−  Ｒ１４は、水素原子、または１〜３個の炭素原子を含む飽和アルキル基を表わす；
−  Ｒ１５は、水素原子、または１〜３個の炭素原子を含む飽和アルキル基を表わす）
である、使用。
〔態様８〕
態様１〜７のうちのいずれか一態様に記載の潤滑剤組成物の使用であって、Ｒ４は、
＊  水素原子；
＊  １〜５個の炭素原子を含む直鎖または分岐鎖の飽和アルキル基；
＊  −ＮＲ１７Ｒ１８基
（式中：
−  Ｒ１７は、水素原子、または１〜３個の炭素原子を含む飽和アルキル基を表わす；
−  Ｒ１８は、水素原子、または１〜３個の炭素原子を含む飽和アルキル基を表わす）
である、使用。
〔態様９〕
態様１〜８のうちのいずれか一態様に記載の潤滑剤組成物の使用であって、前記組成物は、式（Ｉａ）〜（Ｉｆ）の化合物：
【化１７】
2017513995.tif 000003
（式中：
＊  Ｒ１は、１〜１０個の炭素原子を含む直鎖または分岐鎖の飽和アルキル基、−ＯＲ７基、−ＮＲ８Ｒ９基を表わす；
＊  Ｒ２は、水素原子、１〜１０個の炭素原子を含む直鎖または分岐鎖の飽和アルキル基、−ＯＲ１０基、−ＮＲ１１Ｒ１２基を表わす；
＊  Ｒ３は、水素原子、１〜１０個の炭素原子を含む直鎖または分岐鎖の飽和アルキル基、−ＯＲ１３基、−ＮＲ１４Ｒ１５基を表わす；
＊  Ｒ４は、水素原子、１〜１０個の炭素原子を含む直鎖または分岐鎖の飽和アルキル基、−ＯＲ１６基、−ＮＲ１７Ｒ１８基を表わす；
＊  Ｒ７、Ｒ１０、Ｒ１３およびＲ１６は、同一または異なって、独立して、１〜１０個の炭素原子を含む直鎖または分岐鎖の飽和アルキル基を表わす；
＊  Ｒ８、Ｒ９、Ｒ１１、Ｒ１２、Ｒ１４、Ｒ１５、Ｒ１７およびＲ１８は、同一または異なって、独立して、水素原子、または１〜３個の炭素原子を含む飽和アルキル基を表わす）
の少なくとも１種を含む、使用。
〔態様１０〕
態様９に記載の潤滑剤組成物の使用であって、前記組成物は、式（Ｉａ）〜（Ｉｃ）の化合物：
＊  Ｒ１は−ＯＲ７基（Ｒ７は、１〜３個の炭素原子を含む飽和アルキル基を表わす）を表わす；
＊  Ｒ２は、水素原子、または１〜３個の炭素原子を含む飽和アルキル基を表わす；
＊  Ｒ３は、水素原子、または１〜３個の炭素原子を含む飽和アルキル基を表わす；
＊  Ｒ４は、水素原子、または１〜３個の炭素原子を含む飽和アルキル基を表わす
の少なくとも１種を含む、使用。
〔態様１１〕
態様９に記載の潤滑剤組成物の使用であって、前記組成物は、式（Ｉａ）〜（Ｉｃ）の化合物：
＊  Ｒ１は−ＮＲ８Ｒ９基
（式中：
−  Ｒ８は、水素原子、または１〜３個の炭素原子を含む飽和アルキル基を表わす；
−  Ｒ９は、水素原子、または１〜３個の炭素原子を含む飽和アルキル基を表わす）を表わす；
＊  Ｒ２は、水素原子、１〜３個の炭素原子を含む飽和アルキル基、または−ＮＨ２基を表わす；
＊  Ｒ３は、水素原子、１〜３個の炭素原子を含む飽和アルキル基、または−ＮＨ２基を表わす；
＊  Ｒ４は、水素原子、１〜３個の炭素原子を含む飽和アルキル基、または−ＮＨ２基を表わす
の少なくとも１種を含む、使用。
〔態様１２〕
態様９に記載の潤滑剤組成物の使用であって、前記組成物は、式（Ｉａ）〜（Ｉｃ）の化合物：
＊  Ｒ１は、１〜５個の炭素原子を含む直鎖または分岐鎖の飽和アルキル基を表わす；
＊  Ｒ２は、水素原子、または１〜５個の炭素原子を含む直鎖または分岐鎖の飽和アルキル基を表わす；
＊  Ｒ３は、水素原子、または１〜５個の炭素原子を含む直鎖または分岐鎖の飽和アルキル基を表わす；
＊  Ｒ４は、水素原子、または１〜５個の炭素原子を含む直鎖または分岐鎖の飽和アルキル基を表わす
の少なくとも１種を含む、使用。
〔態様１３〕
態様１〜１２のうちのいずれか一態様による潤滑剤組成物の使用であって、式（Ｉ）の化合物の重量による量は、潤滑剤組成物の全重量に対して、０．５〜２５％（好ましくは１〜２０％、有利には５〜１５％）である、使用。
〔態様１４〕
態様１〜１３のうちのいずれか一態様による潤滑剤組成物の使用であって、さらに、清浄剤、摩擦調整剤、分散剤、耐摩耗添加剤、極圧添加剤、酸化防止剤、粘度指数向上ポリマー、流動点向上剤、消泡剤、増粘剤およびそれらの混合物から選択した少なくとも１つの添加剤を含む、使用。
〔態様１５〕
少なくとも１種の基油を含む潤滑剤組成物における、乗り物エンジン中のノックを減少させるための、添加剤濃縮物型組成物の使用であって、前記添加剤濃縮物型組成物は、
−  少なくとも１種の式（Ｉ）の化合物：
【化１８】
2017513995.tif 000004
（式中：
＊  Ｒ１は、水素原子、飽和又は不飽和の、置換又は非置換の、１〜１０個の炭素原子を含む直鎖または分岐鎖のアルキル基、−ＯＲ７基、−ＮＲ８Ｒ９基を表わす；
＊  Ｒ２は、水素原子、飽和又は不飽和の、置換又は非置換の、１〜１０個の炭素原子を含む直鎖または分岐鎖のアルキル基、−ＯＲ１０基、−ＮＲ１１Ｒ１２基を表わす；
＊  Ｒ３は、水素原子、飽和又は不飽和の、置換又は非置換の、１〜１０個の炭素原子を含む直鎖または分岐鎖のアルキル基、−ＯＲ１３基、−ＮＲ１４Ｒ１５基を表わす；
＊  Ｒ４は、水素原子、飽和又は不飽和の、置換又は非置換の、１〜１０個の炭素原子を含む直鎖または分岐鎖のアルキル基、−ＯＲ１６基、−ＮＲ１７Ｒ１８基を表わす；
＊  Ｒ５は、水素原子、飽和又は不飽和の、置換又は非置換の、１〜１０個の炭素原子を含む直鎖または分岐鎖のアルキル基、−ＯＲ１９基、−ＮＲ２０Ｒ２１基を表わす；
＊  Ｒ６は、水素原子、飽和又は不飽和の、置換又は非置換の、１〜１０個の炭素原子を含む直鎖または分岐鎖のアルキル基、−ＯＲ２２基、−ＮＲ２３Ｒ２４基を表わす；
＊  Ｒ７、Ｒ１０、Ｒ１３、Ｒ１６、Ｒ１９およびＲ２２は、同一または異なって、独立して、飽和又は不飽和の、置換又は非置換の、１〜１０個の炭素原子を含む直鎖または分岐鎖のアルキル基を表わす；
＊  Ｒ８、Ｒ９、Ｒ１１、Ｒ１２、Ｒ１４、Ｒ１５、Ｒ１７、Ｒ１８、Ｒ２０、Ｒ２１、Ｒ２３およびＲ２４は、同一または異なって、独立して、水素原子、または飽和又は不飽和の、置換又は非置換の、１〜３個の炭素原子を含むアルキル基を表わす；
＊  Ｒ１、Ｒ２、Ｒ３、Ｒ４、Ｒ５およびＲ６の少なくとも１つは、水素原子ではない）
−  清浄剤、摩擦調整剤、耐摩耗添加剤、分散剤、極圧添加剤、酸化防止剤、粘度指数向上ポリマー、流動点向上剤、消泡剤、増粘剤およびそれらの混合物から選択された少なくとも１つの添加剤
を含む、使用。